(57)【要約】【課題】遠隔ユニットの第１の通信装置または第２の通信装置が交換された場合であっても、設定値の再設定を容易且つ確実に行うこと。【解決手段】互いに通信可能な第１の通信装置および第２の通信装置を備える遠隔ユニットであって、前記第１の通信装置は、設定値を記憶する第１の記憶部を有し、前記第２の通信装置は、前記設定値を記憶する第２の記憶部を有し、前記第１の通信装置および前記第２の通信装置の少なくともいずれか一方は、前記第１の記憶部に記憶される設定値と、前記第２の記憶部に記憶される設定値とを、互いに同期させる同期手段を有する。【選択図】図３
2019165294.tif 000002
【特許請求の範囲】
【請求項１】
互いに通信可能な第１の通信装置および第２の通信装置を備える遠隔ユニットであって、
前記第１の通信装置は、
設定値を記憶する第１の記憶部を有し、
前記第２の通信装置は、
前記設定値を記憶する第２の記憶部を有し、
前記第１の通信装置および前記第２の通信装置の少なくともいずれか一方は、
前記第１の記憶部に記憶される設定値と前記第２の記憶部に記憶される設定値とを同期させる同期手段を有する
ことを特徴とする遠隔ユニット。
【請求項２】
前記同期手段は、
前記第１の記憶部に記憶されている設定値と前記第２の記憶部に記憶されている設定値との差異を検出する差異検出部と、
前記差異検出部によって差異が検出された場合、前記第１の記憶部に記憶されている設定値と、前記第２の記憶部に記憶されている設定値とのうち、いずれか一方を選択する選択部と、
前記選択部によって選択された一方の設定値を、他方の設定値が設定されている前記第１の記憶部または前記第２の記憶部に設定する設定部と
を備えることを特徴とする請求項１に記載の遠隔ユニット。
【請求項３】
前記設定値は、
前記第１の通信装置と前記第２の通信装置との間で送信される映像データの画質を補正する補正値、前記第１の通信装置または前記第２の通信装置に接続されたディスプレイに関する情報、前記第１の通信装置と前記第２の通信装置との間の接続距離に関する情報の、少なくともいずれか一つを含む
ことを特徴とする請求項１または２に記載の遠隔ユニット。
【請求項４】
互いに通信可能な第１の通信装置および第２の通信装置を備える遠隔ユニットにおいて、前記第１の通信装置および前記第２の通信装置の少なくともいずれか一方に用いられるプログラムであって、
コンピュータを、
前記第１の通信装置が有する第１の記憶部に記憶される設定値と、前記第２の通信装置が有する第２の記憶部に記憶される設定値とを同期させる同期手段
として機能させるためのプログラム。
【発明の詳細な説明】
【技術分野】
【０００１】
本発明は、遠隔ユニットおよびプログラムに関する。
【背景技術】
【０００２】
サーバ装置等の被遠隔操作装置とパーソナルコンピュータ等の遠隔操作装置とを遠隔ユニットを介在させて接続することにより、遠隔操作装置から被遠隔操作装置を遠隔操作する技術が知られている。
【０００３】
また、遠隔ユニットを構成する受信機に設けられたスイッチの操作により、受信機に接続されたディスプレイに供給される映像信号の画質調整を行う技術が知られている（例えば、下記特許文献１参照）。
【先行技術文献】
【特許文献】
【０００４】
【特許文献１】特開２０１６−１５８２１０号公報
【発明の概要】
【発明が解決しようとする課題】
【０００５】
従来技術では、遠隔ユニットを構成する第１の通信装置または第２の通信装置のいずれか一方に設定値を記憶させている。このため、設定値を記憶している第１の通信装置または第２の通信装置が故障等によって交換されたときなどには、新たに設置された機器に設定値を手作業で設定し直さなければならず、手間や時間がかかる。
【０００６】
本発明は、遠隔ユニットの第１の通信装置または第２の通信装置が交換された場合であっても、設定値の再設定を容易且つ確実に行うことを目的とする。
【課題を解決するための手段】
【０００７】
上述した課題を解決するために、本発明の遠隔ユニットは、互いに通信可能な第１の通信装置および第２の通信装置を備える遠隔ユニットであって、前記第１の通信装置は、設定値を記憶する第１の記憶部を有し、前記第２の通信装置は、前記設定値を記憶する第２の記憶部を有し、前記第１の通信装置および前記第２の通信装置の少なくともいずれか一方は、前記第１の記憶部に記憶される設定値と前記第２の記憶部に記憶される設定値とを同期させる同期手段を有する。
【発明の効果】
【０００８】
本発明によれば、遠隔ユニットの第１の通信装置または第２の通信装置のいずれが交換された場合であっても、設定値の再設定を容易且つ確実に行うことができるようになる。
【図面の簡単な説明】
【０００９】
【図１】一実施形態に係る遠隔システムのシステム構成を示す図
【図２】一実施形態に係る送信機および受信機のハードウェア構成を示す図
【図３】一実施形態に係る送信機および受信機の構成を示すブロック図
【図４】一実施形態に係る受信機による処理手順を示すフローチャート
【図５】一実施形態に係る送信機および受信機に記憶される設定値の一例を示す図
【００１０】
以下、図面を参照して、一実施形態について説明する。
【００１１】
（遠隔システム１０のシステム構成）
図１は、一実施形態に係る遠隔システム１０のシステム構成を示す図である。図１に示すように、遠隔システム１０は、被遠隔操作装置１２と、遠隔操作装置１４と、遠隔ユニット１００とを備えている。遠隔ユニット１００は、被遠隔操作装置１２に接続された送信機１１０（第１の通信装置）と、遠隔操作装置１４に接続された受信機１２０（第２の通信装置）とを備えている。送信機１１０および受信機１２０は、通信ケーブル１３０、例えばＣＡＴ５（Category 5）ケーブル、ＣＡＴ６（Category 6）ケーブル等のＬＡＮ（Local Area Network）ケーブルによって接続されており、互いにデータ通信を行うことが可能である。被遠隔操作装置１２としては、サーバ装置、パーソナルコンピュータ等を用いることができる。また、遠隔操作装置１４としては、キーボード、マウス、ディスプレイ等を用いることができる。
【００１２】
遠隔システム１０では、遠隔ユニット１００を介して遠隔操作装置１４により被遠隔操作装置１２を遠隔操作することが可能である。被遠隔操作装置１２から出力された映像信号、同期信号および制御信号を送信機１１０が重畳して生成した重畳信号は、送信機１１０から通信ケーブル１３０を介して受信機１２０へ送信される。受信機１２０は、受信した重畳信号を映像信号と同期信号と制御信号とに分離し、分離した映像信号、同期信号および制御信号を遠隔操作装置１４のディスプレイへ供給する。これにより、遠隔操作装置１４のディスプレイに被遠隔操作装置１２から出力された映像が表示される。なお、送信機１１０から受信機１２０へ送信される映像信号を送信機１１０および受信機１２０に記憶されている設定値により送信機１１０および受信機１２０の少なくとも一方で補正することにより、遠隔操作装置１４のディスプレイに適切な映像が表示される。
【００１３】
（送信機１１０および受信機１２０のハードウェア構成）
図２は、一実施形態に係る送信機１１０および受信機１２０のハードウェア構成を示す図である。
【００１４】
＜送信機１１０のハードウェア構成＞
図２に示すように、送信機１１０は、マイコン１１１、メモリ１１２、通信Ｉ／Ｆ１１３、ＬＥＤ１１４、ブザー１１５、およびスイッチ１１６を備えている。これらの各ハードウェアは、バス１１７によって互いに接続されている。
【００１５】
マイコン１１１は「マイクロプロセッサ」の一例であり、メモリ１１２等に記憶されているプログラムを実行することにより送信機１１０の各種機能を実現する。
【００１６】
メモリ１１２は、例えばマイコン１１１が実行するプログラム、マイコン１１１がプログラムを実行する際に用いる各種データを記憶する。
【００１７】
通信Ｉ／Ｆ１１３は、受信機１２０との間のデータの送受信を制御する。通信Ｉ／Ｆ１１３は、通信ケーブル１３０を介して受信機１２０へ各種データを送信するとともに、通信ケーブル１３０を介して受信機１２０から各種データを受信する。
【００１８】
ＬＥＤ１１４は、例えば送信機１１０の表面に設けられており、送信機１１０の外部に各種通知光を出力する。ブザー１１５は、送信機１１０の外部に向けて各種通知音を出力する。スイッチ１１６は例えば送信機１１０の筐体に設けられており、ユーザからの各種入力操作を受け付ける。スイッチ１１６としては、機能選択ボタン、機能決定ボタン等が挙げられる。
【００１９】
＜受信機１２０のハードウェア構成＞
図２に示すように、受信機１２０は、マイコン１２１、メモリ１２２、通信Ｉ／Ｆ１２３、ＬＥＤ１２４、ブザー１２５、およびスイッチ１２６を備えている。これらの各ハードウェアは、バス１２７によって互いに接続されている。
【００２０】
マイコン１２１は「マイクロプロセッサ」の一例である。マイコン１２１は、メモリ１２２等に記憶されているプログラムを実行することにより、受信機１２０の各種機能を実現する。
【００２１】
メモリ１２２は、例えばマイコン１２１が実行するプログラム、マイコン１２１がプログラムを実行する際に用いる各種データを記憶する。
【００２２】
通信Ｉ／Ｆ１２３は、送信機１１０との間のデータの送受信を制御する。通信Ｉ／Ｆ１２３は、通信ケーブル１３０を介して送信機１１０へ各種データを送信するとともに、通信ケーブル１３０を介して送信機１１０から各種データを受信する。
【００２３】
ＬＥＤ１２４は、例えば受信機１２０の筐体に設けられ、受信機１２０外部に各種通知光を出力する。ブザー１２５は受信機１２０外部に通知音を出力する。スイッチ１２６は、例えば受信機１２０の筐体に設けられ、ユーザからの各種入力操作を受け付ける。スイッチ１２６としては、機能選択ボタン、機能決定ボタン等が挙げられる。
【００２４】
（送信機１１０および受信機１２０の構成）
図３は、一実施形態に係る送信機１１０および受信機１２０の構成を示すブロック図である。
【００２５】
＜送信機１１０の構成＞
図３に示すように、送信機１１０は第１の記憶部３１０を備えている。また、送信機１１０は、同期手段１１０Ａとして、主制御部３１１、取得部３１２、差異検出部３１３、通知部３１４、選択部３１５、および設定部３１６を備えている。
【００２６】
主制御部３１１は、送信機１１０による処理全体を制御する。
【００２７】
取得部３１２は、送信機１１０および受信機１２０の各々の設定値を取得する。取得部３１２は、通信Ｉ／Ｆ１１３を介して受信機１２０に記憶されている設定値を取得する。また、取得部３１２は第１の記憶部３１０に記憶されている設定値を取得する。
【００２８】
差異検出部３１３は、取得部３１２が送信機１１０および受信機１２０の双方から取得した設定値を比較し、送信機１１０および受信機１２０の設定値の差異を検出する。
【００２９】
通知部３１４は、差異検出部３１３によって送信機１１０および受信機１２０の設定値に差異が検出された場合に差異の発生を通知する。例えば通知部３１４は、ＬＥＤ１１４を所定の点灯パターンで点灯させることにより差異の発生を通知する。また、例えば通知部３１４は、ブザー１１５から通知音を出力することにより差異の発生を通知する。
【００３０】
選択部３１５は、差異検出部３１３によって送信機１１０および受信機１２０の設定値の差異が検出された場合、第１の記憶部３１０に記憶されている設定値と第２の記憶部３２０に記憶されている設定値とのいずれか一方を選択する。具体的には、選択部３１５は、ユーザによるスイッチ１１６操作により、送信機１１０に記憶されている設定値と受信機１２０に記憶されている設定値との一方を選択する。
【００３１】
設定部３１６は、選択部３１５によって選択された一方の設定値を、他方の設定値が記憶されている記憶部に設定する。選択部３１５によって第１の記憶部３１０に記憶されている設定値が選択された場合、設定部３１６は設定値を通信Ｉ／Ｆ１１３を介して第２の記憶部３２０に設定する。一方、選択部３１５によって第２の記憶部３２０に記憶されている設定値が選択された場合、設定部３１６は設定値を第１の記憶部３１０に設定する。これにより、送信機１１０に記憶される設定値と受信機１２０に記憶される設定値とが同期する。
【００３２】
なお、送信機１１０が備える各機能のうち、主制御部３１１、取得部３１２、差異検出部３１３、通知部３１４、選択部３１５、および設定部３１６は、例えばメモリ１１２に記憶されている処理プログラムをマイコン１１１が実行することによって実現される。また、第１の記憶部３１０は、例えばメモリ１１２によって実現される。
【００３３】
＜受信機１２０の機能構成＞
図３に示すように、受信機１２０は第２の記憶部３２０を備えている。また、受信機１２０は、同期手段１２０Ａとして、主制御部３２１、取得部３２２、差異検出部３２３、通知部３２４、選択部３２５、および設定部３２６を備えている。
【００３４】
主制御部３２１は、受信機１２０による処理全体を制御する。
【００３５】
取得部３２２は、送信機１１０および受信機１２０の各々から設定値を取得する。具体的には、取得部３２２は通信Ｉ／Ｆ１２３を介して送信機１１０に記憶されている設定値を取得し、第２の記憶部３２０に記憶されている設定値を取得する。
【００３６】
差異検出部３２３は、取得部３２２が送信機１１０および受信機１２０の双方から取得した設定値を比較して、送信機１１０および受信機１２０の設定値の差異を検出する。
【００３７】
通知部３２４は、差異検出部３２３によって送信機１１０および受信機１２０の設定値に差異が検出された場合に差異の発生を通知する。例えば通知部３２４は、ＬＥＤ１２４を所定の点灯パターンで点灯させることにより差異の発生を通知する。また、例えば通知部３２４は、ブザー１２５から通知音を出力させることにより差異の発生を通知する。
【００３８】
選択部３２５は、差異検出部３２３によって送信機１１０および受信機１２０の設定値の差異が検出された場合、第１の記憶部３１０に記憶されている設定値と第２の記憶部３２０に記憶されている設定値との一方を選択する。具体的には、選択部３２５は、ユーザによるスイッチ１２６操作により送信機１１０に記憶されている設定値と受信機１２０に記憶されている設定値との一方を選択する。
【００３９】
設定部３２６は、選択部３２５によって選択された一方の設定値を、他方の設定値が記憶されている記憶部に設定する。例えば、選択部３２５によって第１の記憶部３１０に記憶されている設定値が選択された場合、設定部３２６は設定値を第２の記憶部３２０に設定する。一方、選択部３２５によって第２の記憶部３２０に記憶されている設定値が選択された場合、設定部３２６は設定値を通信Ｉ／Ｆ１２３を介して第１の記憶部３１０に設定する。これにより、送信機１１０に記憶される設定値と受信機１２０に記憶される設定値とが同期する。
【００４０】
なお、受信機１２０が備える各機能のうち、主制御部３２１、取得部３２２、差異検出部３２３、通知部３２４、選択部３２５、および設定部３２６は、例えば、メモリ１２２に記憶されている処理プログラムをマイコン１２１が実行することによって実現される。また、第２の記憶部３２０は、例えば、メモリ１２２によって実現される。
【００４１】
（受信機１２０による処理手順）
図４は、受信機１２０による処理手順を示すフローチャートである。図４に示す処理は、例えば受信機１２０の電源がＯＮに切り替えられると、受信機１２０の主制御部３２１によって開始される。なお、ここでは受信機１２０による処理の手順を説明するが、図３に示すように送信機１１０および受信機１２０は同様の機能を有しているため、図４に示す処理は送信機１１０においても実行可能である。例えば受信機１２０の電源がＯＮ状態のまま送信機１１０のみ交換した場合、送信機１１０が図４に示す処理を実行することにより、送信機１１０の記憶部を受信機１２０の記憶部と同期することができる。
【００４２】
まず、主制御部３２１が、送信機１１０と受信機１２０との間の通信接続が確立したか否かを判断する（Ｓ４０１）。例えば、主制御部３２１は、通信Ｉ／Ｆ１２３に対する問い合わせを行うことにより、通信接続が確立したか否かを判断する。
【００４３】
Ｓ４０１において通信接続が確立していないと判断された場合（Ｓ４０１：Ｎｏ）、主制御部３２１がＳ４０１の処理を再度実行する。
【００４４】
一方、Ｓ４０１において通信接続が確立したと判断された場合（Ｓ４０１：Ｙｅｓ）、取得部３２２は送信機１１０および受信機１２０の各々から設定値を取得する（Ｓ４０２）。取得部３２２は、通信Ｉ／Ｆ１２３を介して第１の記憶部３１０に記憶されている設定値を取得し、第２の記憶部３２０に記憶されている設定値を取得する。
【００４５】
差異検出部３２３が、Ｓ４０２で送信機１１０および受信機１２０の双方から取得された設定値を比較して、送信機１１０および受信機１２０の双方の設定値の差異の有無を判別する（Ｓ４０３）。
【００４６】
Ｓ４０３において送信機１１０および受信機１２０の設定値に差異が検出されなかった場合（Ｓ４０３：Ｎｏ）、主制御部３２１は図４に示す一連の処理を終了する。
【００４７】
一方、Ｓ４０３において送信機１１０および受信機１２０の設定値の差異が検出された場合（Ｓ４０３：Ｙｅｓ）、通知部３２４はＳ４０３で検出した差異を通知する（Ｓ４０４）。
【００４８】
その後、選択部３２５は、送信機１１０または受信機１２０のいずれかの設定値が選択されたか否かを判断する（Ｓ４０５）。
【００４９】
Ｓ４０５において送信機１１０または受信機１２０のいずれかの設定値が選択されていないと判断された場合（Ｓ４０５：Ｎｏ）、選択部３２５がＳ４０５の処理を再度実行する。
【００５０】
一方、Ｓ４０５において送信機１１０または受信機１２０のいずれかの設定値が選択されたと判断された場合（Ｓ４０５：Ｙｅｓ）、選択部３２５は受信機１２０の設定値が選択されたか否かを判断する（Ｓ４０６）。
【００５１】
Ｓ４０６において受信機１２０の設定値が選択されたと判断された場合（Ｓ４０６：Ｙｅｓ）、設定部３２６は受信機１２０に記憶されている設定値を第１の記憶部３１０に設定する（Ｓ４０８）。そして、主制御部３２１は図４の処理を終了する。
【００５２】
一方、Ｓ４０６において受信機１２０の設定値が選択されていない、すなわち、送信機１１０の設定値が選択されたと判断された場合（Ｓ４０６：Ｎｏ）、設定部３２６は、送信機１１０に記憶されている設定値を第２の記憶部３２０に設定する（Ｓ４０７）。そして、主制御部３２１は図４の処理を終了する。
【００５３】
図４に示す処理により、受信機１２０の電源がＯＮに切り替えられたタイミングで、送信機１１０の第１の記憶部３１０に記憶されている設定値と受信機１２０の第２の記憶部３２０に記憶されている設定値とのうち、ユーザによって選択された設定値が第１の記憶部３１０と第２の記憶部３２０との双方に設定される。
【００５４】
（設定値の一例）
図５は、一実施形態に係る送信機１１０および受信機１２０に記憶される設定値の一例を示す図である。
【００５５】
図５に示すように、送信機１１０の第１の記憶部３１０と受信機１２０の第２の記憶部３２０には、それぞれ設定値として「画質補正」、「モニタ情報」、「延長距離」などが設定される。「画質補正」には送信機１１０から受信機１２０へ送信される映像データの画質を補正する補正値が設定される。「画質補正」は、「ゲイン」、「イコライザ」、および「スキュー」を含んでいる。
【００５６】
「モニタ情報」は「ＥＤＩＤ（Extended Display Identification Data）」を含んでいる。ＥＤＩＤは、受信機１２０に接続される遠隔操作装置１４のディスプレイに関する情報であり、機種名、周波数、解像度、映像信号および同期信号を送信すべきタイミングを示すタイミング情報が含まれている。送信機１１０は「ＥＤＩＤ」の設定値に適した映像データを受信機１２０へ送信することにより、遠隔操作装置１４のディスプレイに適切な表示を行わせる。
【００５７】
「延長距離」には、送信機１１０と受信機１２０との間の通信ケーブル１３０による接続距離が設定される。送信機１１０は「延長距離」の設定値に適した映像データを受信機１２０へ送信することにより、遠隔操作装置１４のディスプレイに適切な表示を行わせる。
【００５８】
図５（ａ）に示す例では、送信機１１０または受信機１２０が故障などによって交換されたため、送信機１１０に記憶されている設定値と受信機１２０に記憶されている設定値とが互いに異なる。
【００５９】
このような場合、本実施形態の遠隔ユニット１００は、送信機１１０または受信機１２０において図４で説明した同期処理を行うことにより、図５（ｂ）に示すように送信機１１０に記憶される設定値と受信機１２０に記憶される設定値とを同期させる。なお、図５（ｂ）では、受信機１２０に記憶されている設定値が選択された例を表している。
【００６０】
受信機１２０が交換された場合には送信機１１０に記憶されている設定値を選択し、交換後の受信機１２０に送信機１１０に記憶されている設定値を設定する。これにより、交換後の受信機１２０に、交換前の受信機１２０に記憶されていた設定値と同じ設定値を容易且つ確実に復元することができる。
【００６１】
反対に、送信機１１０が交換された場合には受信機１２０に記憶されている設定値を選択し、交換後の送信機１１０に受信機１２０に記憶されている設定値を設定する。これにより、交換後の送信機１１０に、交換前の送信機１１０に記憶されていた設定値と同じ設定値を容易且つ確実に復元することができる。
【００６２】
以上、説明したように、本実施形態の遠隔ユニット１００は、送信機１１０の第１の記憶部３１０と受信機１２０の第２の記憶部３２０とのそれぞれに設定値を記憶させ、送信機１１０および受信機１２０が備える同期手段１１０Ａ，１２０Ａにより、第１の記憶部３１０に記憶される設定値と、第２の記憶部３２０に記憶される設定値とを同期させる。
【００６３】
このため、本実施形態の遠隔ユニット１００によれば、送信機１１０または受信機１２０のいずれか一方が故障などによって交換された場合であっても、他方に記憶されている設定値を用いて交換された装置の設定値の再設定を容易且つ確実に行うことができる。
【００６４】
以上、本発明の実施形態について詳述したが、本発明はこの実施形態に限定されるものではなく、特許請求の範囲に記載された本発明の要旨の範囲内において種々の変形又は変更が可能である。
【００６５】
上記実施形態では送信機１１０および受信機１２０の双方に同期手段を設けているが、送信機１１０および受信機１２０のいずれか一方に同期手段を設け、交換等により設定値を変更する場合は同期手段を設けた一方の電源を再度オンにするようにしてもよい。
【００６６】
また、上記実施形態では送信機１１０および受信機１２０の双方にＬＥＤ、ブザー、およびスイッチを設けているが、送信機１１０および受信機１２０のいずれか一方にＬＥＤ、ブザー、およびスイッチを設けてもよい。
【００６７】
また、上記実施形態では送信機１１０または受信機１２０の電源がオンとなったタイミングで同期手段による同期処理を行うようにしているが、例えば送信機１１０に記憶されている設定値と受信機１２０に記憶されている設定値とのいずれか一方が変更されたタイミングで、同期手段による同期処理を行うようにしてもよい。
【符号の説明】
【００６８】
１０  遠隔システム
１２  被遠隔操作装置
１４  遠隔操作装置
１００  遠隔ユニット
１１０  送信機
１２０  受信機
１３０  通信ケーブル
３１０  第１の記憶部
３２０  第２の記憶部
３１１，３２１  主制御部
３１２，３２２  取得部
３１３，３２３  差異検出部
３１４，３２４  通知部
３１５，３２５  選択部
３１６，３２６  設定部
【図１】
2019165294.tif 000003
【図２】
2019165294.tif 000004
【図３】
2019165294.tif 000005
【図４】
2019165294.tif 000006
【図５】
2019165294.tif 000007